(57)【要約】【課題】コイルと絶縁紙との間または絶縁紙とステータコアとの間に冷却液の流路を形成することが可能な回転電機を提供する。【解決手段】回転電機ＲＥＭは、ステータコア２の軸方向Ｄａにおけるティース２ｔの端面に配置されてコイル３の巻装時にコイルエンドを支持する支持体６と、ステータコア２とコイル３との間に配置された絶縁紙４と、を備える。支持体６は、ステータコア２の周方向Ｄｃにおけるティース２ｔの端縁からコイル３に向けて周方向Ｄｃに張り出した側縁部６ｅを有している。側縁部６ｅは、周方向Ｄｃに窪んだ溝部６ｃを有している。溝部６ｃは、スロット２ｓの内部へ向けて軸方向Ｄａに延びている。【選択図】図４
2020078207.tif 000002
【特許請求の範囲】
【請求項１】
ステータコアと、該ステータコアに設けられたティースと、隣り合う前記ティースの間に設けられたスロットと、前記スロットに配置されて前記ステータコアに巻装されたコイルと、を備えた回転電機であって、
前記ステータコアの軸方向における前記ティースの端面に配置されて前記コイルの巻装時にコイルエンドを支持する支持体と、前記ステータコアと前記コイルとの間に配置された絶縁紙と、を備え、
前記支持体は、前記ステータコアの周方向における前記ティースの端縁から前記コイルに向けて前記周方向に張り出した側縁部を有し、
前記側縁部は、前記周方向に窪んだ溝部を有し、
前記溝部は、前記スロットの内部へ向けて前記軸方向に延びている、回転電機。
【発明の詳細な説明】
【技術分野】
【０００１】
本開示は、回転電機に関する。
【背景技術】
【０００２】
従来から回転電機のステータコアの軸方向端面に取り付けられるカフサの構造に関する発明が知られている（下記特許文献１を参照）。カフサは、樹脂製の絶縁部材であり、ステータコアの軸方向端面に取り付けられる。その後、カフサを用いて、導体セグメントの挿入、直線部分の折り曲げ、および溶接が行われる。このカフサは、ステータコアのティースに対応するリブとステータコアのスロットに対応する開口とを有する円環状部材である（同文献、第０００３段落等を参照）。
【０００３】
特許文献１に記載されたカフサは、カフサのリブが根元から先端に向かってステータコアの軸方向端面から離れるように反っている。そして、ステータコアのスロットと、スロットに対応するようにカフサのリブの間に形成された複数の空間とを通るように、ステータコアのティースとカフサのリブとにコイルが巻回される。この際に、弾性力によってカフサのリブがコイルに圧接する。この構成により、コイルとカフサとの密着性を向上させることができる（同文献、請求項１、第０００７段落、第０００８段落等を参照）。
【０００４】
また、モータのステータコアの径方向における外周表面に冷媒を供給してモータを冷却するモータの冷却構造に関する発明が知られている（下記特許文献２を参照）。モータは、ステータコアと、ステータコアの軸方向の端面に設置された円環状の円環状部材と、円環状部材の軸方向の外側に突出するよう形成されたコイルエンドを有しステータコアに分布巻されたコイルと、を備えている。この従来の冷却構造は、円環状部材が、径方向における外周表面に冷媒をステータコア側からコイルエンド側に導くガイド溝を有することを特徴としている（同文献、請求項１等を参照）。
【０００５】
この従来のモータの冷却構造では、ステータコアの外表面に冷媒を供給すると、ステータコアの径方向における外周表面に供給された冷媒の一部が円環状部材のガイド溝に流れ込む。ガイド溝は冷媒をステータコア側からコイルエンド側に導くよう形成されているから、ガイド溝に流れ込んだ冷媒はステータコアからコイルエンドに流れていきコイルエンドを直接冷却する。冷媒で直接コイルエンドを冷却するから、良好にコイルを冷却することができる（同文献、第０００８段落等を参照）。
【先行技術文献】
【特許文献】
【０００６】
【特許文献１】特開２０１８‐１４８６５９号公報
【特許文献２】特開２０１５‐１３０７１９号公報
【発明の概要】
【発明が解決しようとする課題】
【０００７】
回転電機は、一般に、ステータコアと、ステータコアに設けられたティースと、隣り合うティースの間に設けられたスロットと、そのスロットに配置されてステータコアに巻装されたコイルと、を備えている。また、ステータコアとコイルとの間には、絶縁紙が配置される。しかし、前記特許文献１および２に記載された従来の技術では、絶縁紙に液体樹脂を含浸させたり、絶縁紙の表面に加熱によって発泡する接着剤を塗布したりすると、コイルと絶縁紙との間または絶縁紙とステータコアとの間の冷却液の流路が閉塞されるおそれがある。
【０００８】
本開示は、コイルと絶縁紙との間または絶縁紙とステータコアとの間に冷却液の流路を形成することが可能な回転電機を提供する。
【課題を解決するための手段】
【０００９】
本開示の一態様は、ステータコアと、該ステータコアに設けられたティースと、隣り合う前記ティースの間に設けられたスロットと、前記スロットに配置されて前記ステータコアに巻装されたコイルと、を備えた回転電機であって、前記ステータコアの軸方向における前記ティースの端面に配置されて前記コイルの巻装時にコイルエンドを支持する支持体と、前記ステータコアと前記コイルとの間に配置された絶縁紙と、を備え、前記支持体は、前記ステータコアの周方向における前記ティースの端縁から前記コイルに向けて前記周方向に張り出した側縁部を有し、前記側縁部は、前記周方向に窪んだ溝部を有し、前記溝部は、前記スロットの内部へ向けて前記軸方向に延びている、回転電機である。
【００１０】
本開示の上記一態様に係る回転電機は、たとえば、オートマチックトランスミッションフルード(automatic transmission fluid：ＡＴＦ)などの冷却液が、ステータコアの軸方向の端部に供給される。
【００１１】
ここで、上記一態様に係る回転電機は、ステータコアの軸方向におけるティースの端面に配置されてコイルの巻装時にコイルエンドを支持する支持体を有している。この支持体は、ステータコアの周方向におけるティースの端縁からコイルに向けてステータコアの周方向に張り出した側縁部を有している。この支持体の側縁部は、ステータコアの周方向に窪んだ溝部を有している。そして、この側縁部の溝部は、スロットの内部へ向けてステータコアの軸方向に延びている。
【００１２】
この構成により、絶縁紙に液体樹脂を含浸させたり、絶縁紙の表面に加熱によって発泡する接着剤を塗布したりした場合でも、支持体の側縁部の溝部によって、コイルと絶縁紙との間または絶縁紙とステータコアとの間に冷却液の流路を形成することができる。そのため、ステータコアの軸方向の端部に供給された冷却液は、ステータコアの軸方向における溝部の端部から溝部の内部へ流入し、スロットの内部へ向けてステータコアの軸方向に延びる溝部に沿って流れる。これにより、冷却液をステータコアの軸方向の端部からステータコアとコイルの間に導入して、ステータコアとコイルを冷却することができる。
【発明の効果】
【００１３】
本開示の上記一態様によれば、コイルと絶縁紙との間または絶縁紙とステータコアとの間に冷却液の流路を形成することが可能な回転電機を提供することができる。
【図面の簡単な説明】
【００１４】
【図１】一般的な回転電機の一部の拡大断面図。
【図２】図１に示す回転電機の一部の分解斜視図。
【図３】本開示の実施形態に係る回転電機の一部の斜視図。
【図４】図３に示す回転電機の一部のコイルを切断した状態の斜視図。
【図５】図３および図４に示す回転電機のコイルを支持する支持体の斜視図。
【図６】図４に示す回転電機のステータコアとコイルとの間の流路を示す平面図。
【図７】図５に示す支持体の変形例の斜視図。
【図８】図２に示す絶縁紙の変形例の斜視図。
【図９】図２に示す絶縁紙の変形例の斜視図。
【発明を実施するための形態】
【００１５】
以下、図面を参照して本開示に係る回転電機の実施形態を説明する。
【００１６】
図１は、一般的な回転電機の一部の構成を示す拡大断面図である。より詳細には、図１は、回転電機のステータ１の一部を示す拡大断面図である。図１に示す回転電機のステータ１以外の構成は、従来の回転電機と同様であるため、それらの詳細な説明および図示は省略する。
【００１７】
図１に示す回転電機は、たとえば、ハイブリッドカー、電気自動車、または燃料電池車などに用いられる電気モータであり、ロータと、ベアリングと、ステータ１と、ブラケットと、リード線とを備えている。
【００１８】
ロータは、たとえば、出力軸と永久磁石とを備え、円筒状のステータの内側に回転自在に支持されている。ベアリングは、たとえば、ロータの回転軸を回転自在に支持している。ステータ１は、主に、ステータコア２と、そのステータコア２に巻装されるコイル３と、そのコイル３とステータコア２との間に配置される絶縁紙４とを有している。ブラケットは、ステータを覆うように、ステータ１の周囲に配置され、ベアリングを支持している。リード線は、一端がステータ１の各々のコイル３に接続され、他端が駆動回路または燃料電池などの電源に接続される。
【００１９】
図２は、図１に示す回転電機の一部の分解斜視図である。より詳細には、図２は、図１に示す回転電機のステータ１の一部の分解斜視図である。ステータコア２は、たとえば、ステータコア２の円筒形の外周部を形成するヨーク２ｙと、ヨーク２ｙからステータコア２の中心軸へ向けてステータコア２の径方向へ突出する複数のティース２ｔとを有している。
【００２０】
コイル３は、ステータコア２のティース２ｔの間に形成されるスロット２ｓに配置され、ステータコア２に巻装される。コイル３の巻線３ｗは、たとえば、表面に高分子材料の絶縁被膜３ｃを有している。コイル３の巻線３ｗは、たとえば、分布巻きでステータコア２のティース２ｔに巻回されている。
【００２１】
絶縁紙４は、たとえば、単層構造または複層構造であり、液体樹脂が含浸されるか、または、絶縁紙４の表面に、加熱によって発泡する接着剤５が塗布される。絶縁紙４は、ステータコア２のスロット２ｓの壁面に沿って配置され、ステータコア２とコイル３との間に配置される。図１および図２に示す例において、絶縁紙４は、スロット２ｓの壁面に対向する表面とコイル３に対向する表面の両面に、接着剤５が塗布されている。
【００２２】
図３は、本開示の実施形態に係る回転電機ＲＥＭの一部の斜視図である。図４は、図３に示す回転電機ＲＥＭのコイル３を切断した状態の斜視図である。なお、図３および図４では、スロット２ｓの両側の一対のティース２ｔに配置された一対の支持体６のうち、一方の支持体６のみを図示し、他方の支持体６の図示を省略している。本開示の回転電機ＲＥＭのステータ１以外の構成は、図１および図２に示す一般的な回転電機の構成と同様であるため、それらの詳細な説明および図示は省略する。本実施形態の回転電機ＲＥＭは、主に、次の構成を特徴としている。
【００２３】
回転電機ＲＥＭは、ステータコア２と、そのステータコア２に設けられたティース２ｔと、隣り合うティース２ｔの間に設けられたスロット２ｓと、そのスロット２ｓに配置されてステータコア２に巻装されたコイル３と、を備えている。回転電機ＲＥＭは、さらに、ステータコア２の軸方向Ｄａにおけるティース２ｔの端面に配置されてコイル３の巻装時にコイルエンドを支持する支持体６と、ステータコア２とコイル３との間に配置された絶縁紙４と、を備える。支持体６は、ステータコア２の周方向Ｄｃにおけるティース２ｔの端縁からコイル３に向けて周方向Ｄｃに張り出した側縁部６ｅを有している。側縁部６ｅは、ステータコア２の周方向Ｄｃに窪んだ溝部６ｃを有している。溝部６ｃは、スロット２ｓの内部へ向けて軸方向Ｄａに延びている。
【００２４】
以下、本実施形態の回転電機ＲＥＭの特徴部分について、図５および図６を参照して、より詳細に説明する。図５は、図３および図４に示す回転電機ＲＥＭのコイル３を支持する支持体６の斜視図である。図６は、図４の回転電機ＲＥＭのステータコア２とコイル３との間の流路ＦＣを示す平面図である。
【００２５】
支持体６は、たとえば樹脂製の絶縁部材であり、ステータコア２の軸方向Ｄａにおけるティース２ｔの端面に取り付けられる。支持体６の素材は、たとえば、絶縁紙４と同一の素材であってもよく、絶縁紙４と異なる素材であってもよい。支持体６は、たとえば、コイル３の巻線３ｗをスロット２ｓに挿入し、巻線３ｗの直線部分を折り曲げる際に、巻線３ｗを支持して仮固定する。この支持体６による巻線３ｗの支持および仮固定を円滑に行う観点から、支持体６の溝部６ｃの幅Ｗは、ステータコア２の径方向Ｄｒにおける巻線３ｗの寸法未満であることが好ましい。
【００２６】
支持体６の溝部６ｃは、たとえば、ステータコア２の周方向Ｄｃにおいて、支持体６の側縁部６ｅを貫通し、溝部６ｃの底部にステータコア２の周方向Ｄｃにおけるティース２ｔの端面を露出させている。また、支持体６の溝部６ｃは、たとえば、ステータコア２の軸方向Ｄａにおいて、支持体６の側縁部６ｅを貫通し、溝部６ｃの底部にステータコア２の軸方向Ｄａにおけるティース２ｔの端面を露出させている。
【００２７】
支持体６は、たとえば、ステータコア２の周方向Ｄｃの両側の一対の溝部６ｃの間に、接続部６ｊを有している。接続部６ｊは、ステータコア２の径方向Ｄｒに間隔をあけて形成された複数の溝部６ｃを有する支持体６が複数の部分に分離しないように、ステータコア２の径方向Ｄｒにおける支持体６の溝部６ｃの両側の部分を接続している。図３から図６に示す例において、接続部６ｊは、ステータコア２の軸方向Ｄａにティース２ｔに近づくにつれて、ステータコア２の周方向Ｄｃにおけるティース２ｔの端縁に近づくように傾斜する傾斜面６ｓを有している。
【００２８】
また、支持体６の側縁部６ｅは、たとえば、ステータコア２の軸方向Ｄａにおいて、ティース２ｔの寸法の１／２程度の寸法Ｌを有してもよい。この場合、ステータコア２の軸方向Ｄａにおけるティース２ｔの両端面に一対の支持体６を配置すると、一対の支持体６の溝部６ｃをステータコア２の軸方向Ｄａに連結することができる。これにより、一対の支持体６によって、ステータコア２の軸方向Ｄａの一方の端面から他方の端面まで、溝部６ｃを連続させることができる。
【００２９】
また、支持体６の側縁部６ｅは、たとえば図６に示すように、溝部６ｃよりもステータコア２の周方向Ｄｃに突出している部分が、ステータコア２の径方向Ｄｒにおいて、交互にコイル３の巻線３ｗに接していてもよい。換言すると、絶縁紙４は、ステータコア２の径方向Ｄｒにおいて、支持体６の側縁部６ｅとコイル３の巻線３ｗとの間と、ステータコア２のティース２ｔと支持体６の側縁部６ｅとの間に、交互に配置されている。
【００３０】
以下、本実施形態の回転電機ＲＥＭの作用を説明する。
【００３１】
本実施形態の回転電機ＲＥＭは、たとえば、オートマチックトランスミッションフルード(automatic transmission fluid：ＡＴＦ)などの冷却液が、ステータコア２の軸方向Ｄａの端部に供給されるように構成されている。このような冷却構造を備えた回転電機ＲＥＭにおいても、図１に示す一般的な回転電機と同様に、たとえば、絶縁紙４に液体樹脂を含浸させたり、絶縁紙４の表面に加熱によって発泡する接着剤５を塗布したりする場合がある。この場合、回転電機ＲＥＭの冷却性能を向上させ、回転電機ＲＥＭの高出力化および小型化を促進するためには、コイル３と絶縁紙４との間または絶縁紙４とステータコア２との間に、冷却液の流路を形成する必要がある。
【００３２】
ここで、本実施形態の回転電機ＲＥＭは、前述のように、ステータコア２の軸方向Ｄａにおけるティース２ｔの端面に配置されてコイル３の巻装時にコイルエンドを支持する支持体６を有している。この支持体６は、ステータコア２の周方向Ｄｃにおけるティース２ｔの端縁からコイル３に向けてステータコア２の周方向Ｄｃに張り出した側縁部６ｅを有している。この支持体６の側縁部６ｅは、ステータコア２の周方向Ｄｃに窪んだ溝部６ｃを有している。そして、この側縁部６ｅの溝部６ｃは、スロット２ｓの内部へ向けてステータコア２の軸方向Ｄａに延びている。
【００３３】
この構成により、絶縁紙４に液体樹脂を含浸させたり、絶縁紙４の表面に加熱によって発泡する接着剤５を塗布したりした場合でも、コイル３と絶縁紙４との間または絶縁紙４とステータコア２との間が、絶縁紙４や接着剤５によって埋まることが防止される。すなわち、絶縁紙４に液体樹脂を含浸させたり、絶縁紙４の表面に加熱によって発泡する接着剤５を塗布したりした場合でも、支持体６の側縁部６ｅの溝部６ｃによって、コイル３と絶縁紙４との間または絶縁紙４とステータコア２との間に、冷却液の流路ＦＣを形成することができる。
【００３４】
そのため、ステータコア２の軸方向Ｄａの端部に供給された冷却液は、ステータコア２の軸方向Ｄａにおける溝部６ｃの端部から溝部６ｃの内部へ流入し、スロット２ｓの内部へ向けてステータコア２の軸方向Ｄａに延びる溝部６ｃに沿って流路ＦＣを流れる。これにより、冷却液をステータコア２の軸方向Ｄａの端部からステータコア２とコイル３の間に導入して、ステータコア２とコイル３を冷却することができる。
【００３５】
したがって、本実施形態によれば、コイル３と絶縁紙４との間または絶縁紙４とステータコア２との間に冷却液の流路ＦＣを形成することが可能な回転電機ＲＥＭを提供することができる。これにより、回転電機ＲＥＭの冷却性能を向上させることができ、回転電機ＲＥＭの高出力化および小型化が可能になる。
【００３６】
また、本実施形態の回転電機ＲＥＭにおいて、支持体６の溝部６ｃは、支持体６の側縁部６ｅを貫通し、溝部６ｃの底部にティース２ｔを露出させている。この構成により、溝部６ｃの底部に露出したティース２ｔを冷却液によって冷却することができ、回転電機ＲＥＭの冷却性能を向上させることができる。なお、溝部６ｃは、支持体６の側縁部６ｅを貫通していなくてもよい。この場合、支持体６によるコイル３とステータコア２のティース２ｔとの間の電気的な絶縁をより確実にすることが可能になる。
【００３７】
また、本実施形態の回転電機ＲＥＭにおいて、支持体６は、ステータコア２の周方向Ｄｃの両側の一対の溝部６ｃの間に、接続部６ｊを有している。接続部６ｊは、ステータコア２の軸方向Ｄａにティース２ｔに近づくにつれて、ステータコア２の周方向Ｄｃにおけるティース２ｔの端縁に近づくように傾斜する傾斜面６ｓを有している。この構成により、ステータコア２の軸方向Ｄａの端部に供給された冷却液を、傾斜面６ｓによって、ステータコア２の軸方向Ｄａにおける溝部６ｃの端部に導くことができる。これにより、冷却液が支持体６の溝部６ｃに導入されやすくなり、回転電機ＲＥＭの冷却性能が向上する。なお、接続部６ｊは、傾斜面６ｓを有しなくてもよい。
【００３８】
また、本実施形態の回転電機ＲＥＭにおいて、支持体６の側縁部６ｅは、ステータコア２の軸方向Ｄａにおいて、ティース２ｔの寸法の１／２程度の寸法Ｌを有している。これにより、ステータコア２の軸方向Ｄａにおけるティース２ｔの両端面に一対の支持体６を配置すると、一対の支持体６の溝部６ｃがステータコア２の軸方向Ｄａに連結される。これにより、ステータコア２の軸方向Ｄａの一方の端面から他方の端面まで連続する溝部６ｃに冷却液を流通させ、回転電機ＲＥＭの冷却性能を向上させることができる。
【００３９】
また、本実施形態の回転電機ＲＥＭは、前述のように、ステータコア２の径方向Ｄｒにおいて、絶縁紙４が、支持体６の側縁部６ｅとコイル３の巻線３ｗとの間と、ステータコア２のティース２ｔと支持体６の側縁部６ｅとの間に、交互に配置されている。この構成により、ステータコア２のティース２ｔに臨む流路ＦＣと、コイル３に臨む流路ＦＣとをバランスよく形成し、ステータコア２とコイル３の双方を効率よく冷却することが可能になる。
【００４０】
なお、絶縁紙４は、ステータコア２のティース２ｔと支持体６との間に配置され、支持体６とコイル３との間に配置されていなくてもよい。この場合、コイル３を効率よく冷却することができる。また、絶縁紙４は、支持体６とコイル３との間に配置され、ステータコア２のティース２ｔと支持体６との間に配置されていなくてもよい。この場合、ステータコア２のティース２ｔを効率よく冷却することができる。
【００４１】
以下、図７から図９を参照して、本実施形態の回転電機ＲＥＭの変形例を説明する。
【００４２】
図７は、図５に示す支持体６の変形例の斜視図である。図８および図９は、図２に示す絶縁紙４の変形例の斜視図である。図７に示す変形例では、図５に示す例よりも、ステータコア２の軸方向Ｄａにおける支持体６の側縁部６ｅおよび溝部６ｃの寸法Ｌが短くなっている。また、溝部６ｃは、側縁部６ｅを貫通していない。
【００４３】
この場合、図８および図９に示すように、絶縁紙４の表面に、ステータコア２の軸方向Ｄａに延びる複数の溝部４ｃを形成してもよい。図８に示す例において、絶縁紙４の溝部４ｃは、絶縁紙４のステータコア２に対向する表面に形成され、ステータコア２の軸方向Ｄａに延びる複数の筋状の接着剤５の間に形成されている。
【００４４】
また、図９に示す例において、絶縁紙４は、ステータコア２に対向する表面とコイル３に対向する表面に、それぞれ、ステータコア２の軸方向Ｄａに延びる複数の筋状の凸部４ｐと、その凸部４ｐの頂面に塗布された複数の筋状の接着剤５を有している。この図９に示す例において、絶縁紙４は、凸部４ｐとその頂面の接着剤５からなる複数の筋状の複合凸部を有し、その複合凸部の間に溝部４ｃが形成されている。
【００４５】
また、図８および図９に示す絶縁紙４のステータコア２の軸方向Ｄａにおける寸法Ｈは、たとえば、ティース２ｔの軸方向Ｄａの両端面に配置された一対の支持体６の側縁部６ｅの間の軸方向Ｄａの間隔と等しくすることができる。これにより、一対の支持体６の溝部６ｃと、絶縁紙４の溝部４ｃとを、ステータコア２の軸方向Ｄａにおいて連結することができる。
【００４６】
また、絶縁紙４の溝部４ｃの幅ｗとピッチｐは、支持体６の溝部６ｃの幅ＷとピッチＰに等しくすることができる。これにより、絶縁紙４の複数の溝部４ｃと支持体６の複数の溝部６ｃとを、ステータコア２の軸方向Ｄａに連結することができる。
【００４７】
このように、図７から図９に示す変形例においても、前述の実施形態において説明した回転電機ＲＥＭと同様に、支持体６は、ステータコア２の周方向Ｄｃにおけるティース２ｔの端縁からコイル３に向けて周方向Ｄｃに張り出した側縁部６ｅを有している。側縁部６ｅは、周方向Ｄｃに窪んだ溝部６ｃを有している。溝部６ｃは、スロット２ｓの内部へ向けて軸方向Ｄａに延びている。したがって、前述の回転電機ＲＥＭと同様に、コイル３と絶縁紙４との間または絶縁紙４とステータコア２との間に冷却液の流路ＦＣを形成することが可能な回転電機ＲＥＭを提供することができる。
【００４８】
また、絶縁紙４が、ステータコア２の軸方向Ｄａにおけるステータコア２の両端面に配置された一対の支持体６の溝部６ｃを接続する溝部４ｃを有することで、ステータコア２の一方の端面と他方の端面との間で、冷却液を流通させることができる。これにより、回転電機ＲＥＭの冷却性能を向上させることができ、回転電機ＲＥＭの高出力化および小型化が可能になる。
【００４９】
以上、図面を用いて本開示に係る回転電機の実施形態を詳述してきたが、具体的な構成はこの実施形態に限定されるものではなく、本開示の要旨を逸脱しない範囲における設計変更等があっても、それらは本開示に含まれるものである。
【００５０】
たとえば、支持体６は、溝部６ｃに代えて、スロット２ｓの内部へ向けてステータコア２の軸方向Ｄａに延びる貫通孔を有し、この貫通孔によってコイル３と絶縁紙４との間または絶縁紙４とステータコア２との間に、冷却液の流路を形成してもよい。すなわち、ステータコア２とコイル３との間に冷却液を導く流路の構成は、特に限定されず、たとえば、管状、谷状など、冷却液を保持してコイル３と絶縁紙４との間または絶縁紙４とステータコア２との間に導くことができる構成であればよい。また、支持体６は、支持体６と冷却液との間に生じる表面張力や毛細管現象を利用して、冷却液を保持してもよい。
【符号の説明】
【００５１】
２      ステータコア
２ｔ    ティース
２ｓ    スロット
３      コイル
４      絶縁紙
６      支持体
６ｃ    溝部
６ｅ    側縁部
Ｄａ    軸方向
Ｄｃ    周方向
ＲＥＭ  回転電機
【図１】
2020078207.tif 000003
【図２】
2020078207.tif 000004
【図３】
2020078207.tif 000005
【図４】
2020078207.tif 000006
【図５】
2020078207.tif 000007
【図６】
2020078207.tif 000008
【図７】
2020078207.tif 000009
【図８】
2020078207.tif 000010
【図９】
2020078207.tif 000011